(57)【要約】【課題】より効率的に商品情報を再呼び出しすることができる。【解決手段】  商品毎に商品識別情報や品名や単価などの商品データを設定した商品ファイルから商品データを呼び出してラベルに印字するラベル発行モードを備えたラベルプリンタにおいて、タッチパネル９ａ上に設けられた複数のプリセットキーと、ラベル発行モードで商品データを呼び出した際に所定の操作を受け付けると、複数のプリセットキーのうち１つのプリセットキーに呼び出した当該商品データを設定するＣＰＵ２０とを備えたことを特徴とするラベルプリンタ。【選択図】図２
2010173246.tif 000002
【特許請求の範囲】
【請求項１】
商品毎に商品識別情報や品名や単価などの商品データを設定した商品ファイルから商品データを呼び出してラベルに印字するラベル発行モードを備えたラベルプリンタにおいて、
タッチパネル上に設けられた複数のプリセットキーと、
前記ラベル発行モードで前記商品データを呼び出した際に所定の操作を受け付けると、複数の前記プリセットキーのうち１つのプリセットキーに呼び出した当該商品データを設定するプリセットキー設定操作手段と、
を備えたことを特徴とするラベルプリンタ。
【請求項２】
前記プリセットキー設定操作手段は、複数の前記プリセットキーのうち１つのプリセットキーを指定する操作を受け付けた場合に、該当するプリセットキーに前記呼び出した当該商品データを設定する
ことを特徴とする請求項１に記載のラベルプリンタ。
【請求項３】
前記プリセットキーは、操作者毎に設けられたことを特徴とする請求項１または請求項２のいずれか１項に記載のラベルプリンタ。
【発明の詳細な説明】
【技術分野】
【０００１】
本発明は、商品に貼付するラベルを印字するラベルプリンタに関する。
【背景技術】
【０００２】
スーパーマーケットのバックヤード等では、操作者は、商品を店頭に陳列する準備として、商品にラベルを貼付する。例えば、操作者は、魚や肉を切り分けて包装し、ラベルプリンタを用いてラベルを発行し、発行したラベルを包装した商品に貼付する。従来、操作者は、以下のようにして、商品の種類毎にラベルを発行して、商品にラベルを貼付していた。
【０００３】
（１）操作者は、ラベルプリンタの操作部から、テンキー等を用いて３〜４桁の数字によって成る商品番号を入力し、さらに、それに続いて、品番キーを押すことによって、商品番号のラベルプリンタへの入力を完了する。なお、商品番号は、商品の種類を特定する情報である。次に、ラベルプリンタは、入力された商品番号に基づいて、予め登録されている商品情報テーブルエリアから該当する商品情報を呼び出して、ワークエリアに設定し、次いで、商品名や単価データなどを表示部に表示する。商品情報は、商品を一意に特定する商品識別情報や品名や単価などを含む情報である。
【０００４】
（２）操作者が計量皿上に商品を載せると、ラベルプリンタは自動的に計量を開始する。計量が終了すると、ラベルプリンタは、計量値と単価とから乗算によって得られる商品の値段を算出し、値段とともに上記ワークエリアに設定された商品情報等を印字部に送って、商品情報と値段の印字を行い、ラベルを発行する。
【０００５】
（３）操作者は、発行されたラベルを商品の所定の位置に貼り付ける。
（４）同一種類の商品に対して（２）〜（３）の手順を繰り返し行い、この商品に対する作業が終了したら、他の商品に対して再び（１）から同様の作業を繰り返す。
【０００６】
また、商品の売れ行きが予想以上に良い場合、追加の商品を店頭に陳列する準備を行う必要がある。例えば、操作者が、ある種類の商品（たとえば商品Ａとする。）のラベルの印字を終了し、別の種類の商品（たとえば商品Ｂとする。）の商品番号を入力し、その商品データを呼び出して、ラベルの印字を行ったとする。ここで、商品Ａの売れ行きが良く、追加で商品Ａを陳列する準備を行う場合、操作者は、再度商品Ａのラベルを発行する必要がある。操作者は、再び商品Ａの商品番号をラベルプリンタに入力し、上述したラベル発行の処理を行う。
【０００７】
ここで、商品の種類が多く、操作者が全ての商品の商品番号を記憶していない場合、操作者は、全種類の商品番号が記載された商品番号一覧表からラベルを発行する商品の商品番号を探し出してラベルプリンタに入力する。また、操作者は、ラベルを発行する商品の商品番号については、探し出しやすいようにメモに記入しておき、このメモを見ながらラベルプリンタに商品番号を入力することも行われている。
【０００８】
また、商品の種類毎にプリセットキー（入力ボタン）を備えたラベルプリンタが知られている。このラベルプリンタは、プリセットキーを特定する情報と商品番号とを関連づけて記憶しており、プリセットキーの入力を受け付けた場合、このプリセットキーを特定する情報と関連づけて記憶している商品番号の入力を受け付けた場合と同様の動作を行う。これにより、操作者は、プリセットキーを押下することで、商品番号を入力することなくラベルを発行することができる。
【０００９】
しかしながら、商品の種類が多い場合プリセットキーの数も多くなるため、操作者は目的のプリセットキーを探し出すために時間が必要となる。また、画面の広さ等の制約から表示部が一度に表示できるプリセットキーの数には限りがあり、商品の種類が数百程度になると、例えば階層構造に分類して商品をプリセットキーに割り当てる必要がある。そのため、操作者は目的の商品に辿り着くまでに何回も（例えば３〜４回）キーを押下しなければならず、操作に時間がかかり、また面倒であるという問題がある。
【００１０】
これを解決する技術として、例えば特許文献１に記載のラベルプリンタが知られている。具体的には、ラベルプリンタは以前に入力された商品番号を記憶しておき、操作者は、ラベルプリンタが記憶する商品番号の中からラベルを発行する商品の商品番号を選択する。これにより、一度入力した商品番号の中からラベルを発行する商品の商品番号を選択するため、すべての種類の商品番号の中からラベルを発行する商品の商品番号を探す場合と比較してより短時間で探し出すことができる。
【先行技術文献】
【特許文献】
【００１１】
【特許文献１】特許第２６３０２５６号公報
【発明の概要】
【発明が解決しようとする課題】
【００１２】
しかしながら、特許文献１に記載のラベルプリンタは、入力を受け付けた商品番号をすべて記憶する。すなわち、多種類のラベルを発行した場合には、多種類の商品番号をすべて記憶する。そのため、操作者は、多種類の商品番号の中からラベルを発行する商品の商品番号を探し出すことになり、効率的に探し出すことができないという問題がある。
【００１３】
本発明は上記の点に鑑みてなされたものであり、より効率的に商品情報を再呼び出しすることができるラベルプリンタを提供することを目的とする。
【課題を解決するための手段】
【００１４】
本発明は、商品毎に商品識別情報や品名や単価などの商品データを設定した商品ファイルから商品データを呼び出してラベルに印字するラベル発行モードを備えたラベルプリンタにおいて、タッチパネル上に設けられた複数のプリセットキーと、前記ラベル発行モードで前記商品データを呼び出した際に所定の操作を受け付けると、複数の前記プリセットキーのうち１つのプリセットキーに呼び出した当該商品データを設定するプリセットキー設定操作手段と、を備えたことを特徴とするラベルプリンタである。
【００１５】
この構成により、プリセットキー設定操作手段は、ラベル発行モードで商品データを呼び出した際に所定の操作を受け付けると、複数のプリセットキーのうち１つのプリセットキーに呼び出した当該商品データを設定する。
【００１６】
よって、呼び出した商品情報全てをプリセットキーに設定するのではなく、所定の操作を受け付けた場合のみ商品情報をプリセットキーに設定する。そのため、操作者は、例えば再呼び出しする可能性のある商品データのみをプリセットキーに設定することができ、効率的な再呼び出しを行うことができる。
【００１７】
また、本発明のラベルプリンタにおいて、前記プリセットキー設定操作手段は、複数の前記プリセットキーのうち１つのプリセットキーを指定する操作を受け付けた場合に、該当するプリセットキーに前記呼び出した当該商品データを設定することを特徴とする。
【００１８】
この構成により、プリセットキー設定操作手段は、複数のプリセットキーのうち１つのプリセットキーを指定する操作を受け付けた場合に、該当するプリセットキーに呼び出した当該商品データを設定する。
【００１９】
よって、操作者は、プリセットキーを指定する操作を行うことで、商品情報を設定するプリセットキーを指定することができる。そのため、操作者は、商品情報を見やすい位置のプリセットキーに設定することができる。
【００２０】
また、本発明のラベルプリンタにおいて、前記プリセットキーは、操作者毎に設けられたことを特徴とする。
【００２１】
これにより、操作者毎にプリセットキーを設けることができるため、操作者に合わせたプリセットキーをタッチパネル上に設けることができる。特に、操作者毎に担当する商品が異なる場合には有効である。
【発明の効果】
【００２２】
本発明によれば、プリセットキー設定操作手段は、商品ファイルから読み出したすべての商品データをプリセットキーに設定するのではなく、所定の操作を受け付けると呼び出した商品データをプリセットキーに設定する。そのため、操作者は、例えば再呼び出しする可能性のある商品データのみをプリセットキーに設定することができ、効率的な再呼び出しを行うことができる。
【図面の簡単な説明】
【００２３】
【図１】本発明の一実施形態におけるラベルプリンタの外観構成を示す斜視図である。
【図２】本実施形態におけるラベルプリンタの制御部の電気的構成を示すブロック図である。
【図３】本実施形態において、ＲＡＭが記憶する商品情報テーブルのデータ構造を示した図である。
【図４】本実施形態において、ＲＡＭが記憶する操作者テーブルのデータ構造を示した図である。
【図５】本実施形態において、ＲＡＭが記憶するプリセットキーテーブルのデータ構造を示した図である。
【図６】本実施形態において、操作表示部が表示する画面例を示した図である。
【図７】本実施形態におけるラベルプリンタが動作する手順を示したフローチャートである。
【発明を実施するための形態】
【００２４】
以下、図面を参照しながら本発明の一実施形態について説明する。図１は本実施形態のラベルプリンタの外観構成を示す斜視図である。図示する例では、ラベルプリンタは、本体１と、はかり２と、イメージスキャナ１４とを備える。本体１は、ラベルプリンタの本体である。はかり２は、商品の重量を計測する。イメージスキャナ１４は、画像データを読み取る。
【００２５】
本体１は、前面に、第１，第２の２つのラベル印字機構部３，４（印字手段）と、操作部５とを備える。ラベル印字機構部３，４は、ラベルの印字を行い、印字したラベルを排出する。第２の印字機構部は本体１から取り外し可能となっている。印字機構部３，４は、ドット印字を行うサーマルヘッドと、１ドットライン分のデータを蓄積し、サーマルヘッドに供給するシフトレジスタと、ラベルを１ドットラインずつ移動させるステッピングモータとを有しており、任意の文字、数字、および画像を印字する。
【００２６】
操作部５は、キー操作部７と、操作表示部９（表示入力手段）とを備える。キー操作部はテンキーと印字キーとを備える。テンキーは数字の入力を受け付ける。印字キーは印字指示の入力を受け付ける。操作表示部９は、液晶表示器９ｂの上面にタッチパネル９ａが積層された形となっており、同一面でデータの表示と入力とができるようになっている。液晶表示器９ｂは４８０×２００ドットのドット表示により、各種データの表示を行う。タッチパネル９ａは、透明のパネルであり、液晶表示器９ｂの上面に設けられている。タッチパネル９ａは、操作者の指が触れると、触れた位置を検出し、検出した位置に応じた入力を受け付ける。
【００２７】
操作部５は角度調整用の蛇腹６によって本体１に取り付けられており、操作者は操作部５の角度を調整することができる。
【００２８】
図２は、ラベルプリンタの制御部の電気的構成を示すブロック図である。制御部１００は、ＣＰＵ２０（Ｃｅｎｔｒａｌ  Ｐｒｏｃｅｓｓｉｎｇ  Ｕｎｉｔ、中央演算処理装置）と、ロードセル制御部２１と、印字制御部２２と、スキャナ制御部２３と、操作制御部２４と、表示制御部２５と、ＲＡＭ３０（Ｒａｎｄｏｍ  Ａｃｃｅｓｓ  Ｍｅｍｏｒｙ、ランダムアクセスメモリ）と、ＲＯＭ４０（Ｒｅａｄ  Ｏｎｌｙ  Ｍｅｍｏｒｙ、リードオンリーメモリ）とを備える。ＣＰＵ２０は、バスを介して制御部１００が備える各部と互いにデータの入出力が可能な状態で接続している。
【００２９】
ＣＰＵ２０（プリセットキー設定操作手段）は、ＲＯＭ４０が記憶する制御プログラムとＲＡＭ３０が記憶する各種情報を読み出し、読み出した制御プログラムと各種情報とに基づいて各部の制御を行う。また、ＣＰＵ２０は、必要な情報をＲＡＭ３０に記憶させる。ロードセル制御部２１は、はかり２が備えるロードセル２ａの制御を行う。印字制御部２２は、第１印字機構部３と、第２印字機構部４の制御を行う。スキャナ制御部２３は、イメージスキャナ１４の制御を行う。操作制御部２４は、キー操作部７と、タッチパネル９ａの制御を行う。表示制御部２５は、液晶表示器９ｂの制御を行う。ＲＡＭ３０は、ＣＰＵ２０が用いる情報を記憶する一時記憶領域である。また、ＲＡＭ３０（商品情報記憶手段、関連情報記憶手段）は、商品情報テーブルと、操作者テーブルと、プリセットキーテーブルとを記憶する。ＲＯＭ４０は制御プログラムを記憶する。
【００３０】
図３は、ＲＡＭ３０が記憶する商品情報テーブルのデータ構造を示した図である。商品情報テーブルは、商品番号と、品名と、単価とのデータ項目を有する。商品番号は、商品の種類を一意に特定する番号である。品名は商品の名称である。単価は商品１単位あたりの価格である。図示する例では、商品番号「００１」の品名は「牛肩ロース」であり、単価は「３５０」である。また、商品番号「００２」の品名は「豚角切」であり、単価は「１８０」である。なお、商品情報テーブルは、取り扱う商品の種類に応じて記憶する情報量が多くなる。また、図示せぬデータ項目を含んでいても良い。
【００３１】
図４は、ＲＡＭ３０が記憶する操作者テーブルのデータ構造を示した図である。操作者テーブルは、操作者コードと、名前とのデータ項目を有する。操作者コードは、操作者を一意に特定する番号である。名前は操作者の名前である。図示する例では、操作者コード「００１」の名前は「○○」である。また、操作者コード「００２」の名前は「△△」である。なお、操作者テーブルは、操作者が多くなるにつれて記憶する情報量も多くなる。また、図示せぬデータ項目を備えていても良い。
【００３２】
図５は、ＲＡＭ３０が記憶するプリセットキーテーブルのデータ構造を示した図である。プリセットキーテーブルは、操作者コードと、Ｐ１〜ＰＮとのデータ項目を有する。Ｐ１〜ＰＮは、操作表示部９が表示するプリセットキーを一意に特定する情報である。本実施形態では、Ｐ１〜ＰＮをプリセットキーの名称とし、プリセットキーＰ１〜ＰＮと記述する。
【００３３】
図示する例では、操作者コード「００１」のＰ１は「００１」であり、Ｐ２は「１０１」であり、ＰＮは空欄である。これは、操作者コード「００１」の操作者がラベルプリンタを使用している場合、プリセットキーＰ１は商品番号「００１」と関連づけられており、プリセットキーＰ２は商品番号「１０１」と関連づけられており、プリセットキーＰＮは商品番号と関連づけられていないことを示す。他の操作者コードの操作者がラベルプリンタを使用している場合については図示する通りである。なお、プリセットキーテーブルは、操作者およびプリセットキーの数が多くなるにつれて記憶する情報量も多くなる。
【００３４】
図６は、ラベルプリンタ１がラベル発行を行うモード（ラベル発行モード）で動作する際に、操作表示部９（タッチパネル９ａ、液晶表示器９ｂ）が表示する画面例を示した図である。操作表示部９が表示する画面は、商品名や産地などの情報を表示する領域６０１と、商品番号を表示する領域６０２と、単価を表示する領域６０３と、重量を表示する領域６０４と、値段を表示する領域６０５と、操作者切り替えキー６０６と、設定キー６０７と、プリセットキー６０８と、ページ切り替えキー６０９とを含む。
【００３５】
図示する例では、商品名や産地などの情報を表示する領域６０１には「牛肩ロース」が表示されている。商品番号を表示する領域６０２には「００１」が表示されている。単価を表示する領域６０３には「３５０」が表示されている。重量を表示する領域６０４には「２００ｇ」が表示されている。値段を表示する領域６０５には「７００」が表示されている。操作表示部９が領域６０１〜６０５に表示する情報は、図３に示した商品情報テーブルが記憶する情報である。
【００３６】
また、図示する例では、操作者切り替えキー６０６として、「○○」キーと、「△△」キーと、「□□」キーと、「××」キーと、「○△」とが表示されている。また、「○○」キーが押下されているため、「○○」キーの色は他の操作者切り替えキー６０６の色と異なっている。操作者切り替えキー６０６のキーの名称は、図４に示した操作者テーブルが記憶する「名前」である。操作者切り替えキー６０６が押下されると、操作表示部９は各操作者に合わせたプリセットキー６０８を表示する。
【００３７】
また、図示する例では、プリセットキー６０８として、「Ｐ１」から「Ｐ５０」までの５０種類のキーが表示されている。また、「Ｐ１」には「牛肩ロース」が表示されており、「Ｐ２」には「豚角切」が表示されている。プリセットキーが表示する情報は、図３に示した商品情報テーブルと、図４に示した操作者テーブルと、図５に示したプリセットキーテーブルとが記憶する情報に基づいている。
【００３８】
また、図示する例では、ページ切り替えキー６０９は、「１ページ」から「５ページ」までの５個のキーが表示されている。ページ切り替えキー６０９の操作により、操作表示部９が表示するプリセットキー６０８が変化する。具体的には、「１ページ」キーが押下された場合、操作表示部９は「Ｐ１」から「Ｐ５０」までの５０種類のプリセットキー６０８を表示する。また、「２ページ」キーが押下された場合、操作表示部９は「Ｐ５１」から「Ｐ１００」までの５０種類のプリセットキー６０８を表示する。「３ページ」キーから「５ページ」キーが押下された場合も、「１ページ」キーと「２ページ」キーと同様に、操作表示部９はそれぞれ５０種類のプリセットキー６０８を表示する。ページ切り替えキー６０９の操作により、操作表示部９は２５０種類のプリセットキー６０８を表示する。図示する例では「１ページ」キーが押下されているため、「１ページ」キーの色は他のページ切り替えキー６０９の色と異なっている。
【００３９】
さらに、先述した操作者切り替えキー６０６との組み合わせにより、操作表示部９は、操作者毎に２５０種類のプリセットキー６０８を表示することができる。図示する例では、操作者切り替えキー６０６のうち「○○」キーが押下されており、ページ切り替えキー６０９のうち「１ページ」キーが押下されているため、操作者「○○」に合わせたプリセットキー６０８のうち、「Ｐ１」から「Ｐ５０」までの５０種類のプリセットキー６０８が表示されている。
【００４０】
次に、本実施形態におけるラベルプリンタ１の動作について説明する。ラベルプリンタ１は、設定モードと、ラベル発行モードとの２つの動作モードを備える。ラベルプリンタ１は、設定モードで動作する際には、商品情報テーブルや、操作者操作者テーブルや、プリセットキーテーブルが記憶する情報の更新を行う。これにより、ラベルプリンタ１は、各テーブルに新たな情報を追加記憶させたり、既存の情報を書き換えたりすることができる。また、ラベルプリンタ１は、ラベル発行モードで動作する際には、ラベルの発行を行う。ラベル発行モードでラベルプリンタ１が動作する手順について図７を参照して説明する。図７は、ラベル発行モードでラベルプリンタ１が動作する手順を示したフローチャートである。なお、操作者により、自身の操作者名が表示されている操作者切り替えキー６０６が選択されているとする。また、操作表示部９は、操作者切り替えキー６０６で選択された操作者に合わせたプリセットキー６０８を表示しているとする。
【００４１】
（ステップＳ１０１）操作者は、ラベルを発行する場合、ラベルを発行する商品の商品番号を入力する、または、この商品情報と関連づけられているプリセットキーを押下する。ＣＰＵ２０は、操作制御部２４を介して、タッチパネル９ａが商品番号の入力や、商品情報が関連付けられているプリセットキーの入力を受け付けたか否かを判断する。タッチパネル９ａが商品番号の入力や、商品情報が関連付けられているプリセットキーの入力を受け付けたとＣＰＵ２０が判断した場合はステップＳ１０３に進み、それ以外はステップＳ１０７に進む。
【００４２】
（ステップＳ１０２）ＣＰＵ２０は、ＲＡＭ３０が記憶する商品情報テーブルから、入力を受け付けた商品番号または入力を受け付けたプリセットキーで特定される商品番号で特定される商品情報を読み出す。続いて、ＣＰＵ２０は、読み出した商品情報をＲＡＭ３０の一時記憶領域（ワークエリア）に記憶する。その後、ステップＳ１０３に進む。なお、既にＲＡＭ３０の一時記憶領域に商品情報が記憶されている場合、ＣＰＵ２０は、記憶されている商品情報をＲＡＭ３０の一時記憶領域から消去した後に、読み出した商品情報をＲＡＭ３０の一時記憶領域に記憶する。
【００４３】
（ステップＳ１０３）操作者は、ラベルを発行する商品をはかり２の上に置く。ＣＰＵ２０は、ロードセル制御部２１を介して、はかり２の上に置かれた商品の重さを計量する。その後、ステップＳ１０４に進む。
【００４４】
（ステップＳ１０４）ＣＰＵ２０は、ステップＳ１０２でＲＡＭ３０の一時記憶領域に記憶した商品情報の単価と、ステップＳ１０３で計量した商品の重さとから、はかり２の上に置かれた商品の値段を算出する。その後、ステップＳ１０５に進む。
【００４５】
（ステップＳ１０５）操作者はラベルを印字する場合キー操作部７の印字キーを押下する。ＣＰＵ２０は、操作制御部２４を介して、印字キーが押下されたか否かを判断する。印字キーが押下されたとＣＰＵ２０が判断した場合はステップＳ１０６に進み、それ以外はステップＳ１０１に戻る。
【００４６】
（ステップＳ１０６）ＣＰＵ２０は、印字制御部２２を介して第１印字機構部３がラベルを印字するように制御する。第１印字機構部３は、ステップＳ１０２でＲＡＭ３０の一時記憶領域に記憶した商品情報の商品番号と、単価と、商品名と、ステップＳ１０５で算出した商品の値段とを印字したラベルを発行する。その後、ステップＳ１０１に戻る。
【００４７】
（ステップＳ１０７）ＣＰＵ２０は、ＲＡＭ３０の一時記憶領域に商品情報が記憶されているか否かを判断する。ＲＡＭ３０の一時記憶領域に商品情報が記憶されていると判断した場合はステップＳ１０８に進み、それ以外はステップＳ１１１に進む。
【００４８】
（ステップＳ１０８）操作者は、後に再びこの商品を呼び出すかもしれないと思った場合に、この商品情報を関連づける空のプリセットキー６０８を１つ押下する。続いて、ＣＰＵ２０は、操作制御部２４を介して、プリセットキー６０８が押下されたか否かを判断する。プリセットキー６０８が押下されたとＣＰＵ２０が判断した場合はステップＳ１０９に進み、それ以外はステップＳ１０１に戻る。
【００４９】
（ステップＳ１０９）操作者は、プリセットキーに商品情報を関連づける場合、設定キー６０７を押下する。ＣＰＵ２０は、操作制御部２４を介して、設定キー６０７が押下されたか否かを判断する。設定キー６０７が押下されたとＣＰＵ２０が判断した場合はステップＳ１１０に進み、それ以外はステップＳ１０１に戻る。
【００５０】
（ステップＳ１１０）ＣＰＵ２０は、現在の操作者コードと、ステップＳ１０８で押下されたプリセットキー６０８の名称と、ステップＳ１０２でＲＡＭ３０の一時記憶領域に記憶した商品情報の商品番号とを関連づけてＲＡＭ３０が記憶するプリセットキーテーブルに記憶させる。なお、現在の操作者コードは、現在選択されている操作者切り替えキー６０６で特定される操作者コードである。続いて、ＣＰＵ２０は、プリセットキーテーブルが記憶する情報に基づいて、プリセットキー６０８に前記設定された品名を表示させる。その後、ステップＳ１０１に戻る。
【００５１】
例えば、現在の操作者コードが「００１」であり、ステップＳ１０８で押下されたプリセットキー６０８が「Ｐ０２」であり、ステップＳ１０２でＲＡＭ３０の一時記憶領域に記憶した商品の商品番号が「００２」である場合、ＣＰＵ２０は、プリセットキーテーブルの操作者コード「００１」とプリセットキー６０８の名称「Ｐ０２」とで特定されるカラムに「００２」を記憶させる。続いて、ＣＰＵ２０は、プリセットキーテーブルが記憶する情報に基づいて、液晶表示器９ｂが表示するプリセットキー６０８の「Ｐ０２」に表示名「豚角切」を表示させる。
【００５２】
（ステップＳ１１１）ＣＰＵ２０は、ラベルの印字処理およびプリセットキー６０８の登録処理ではないと判断し、プリセットキー６０８の登録処理以外の処理を行う場合はその処理を実行した後、ステップＳ１０１に戻る。
【００５３】
上述したとおり、本実施形態によれば、設定キー６０７が押下された場合のみ、ＣＰＵ２０は商品情報とプリセットキー６０８を特定する情報とをプリセットキーテーブルに記憶させる。すなわち、操作者が指定した商品情報のみをプリセットキー６０８に割り当てることができる。そのため、操作者は、例えば再呼び出しし難い商品データのみをプリセットキーに設定することができ、効率的な再呼び出しを行うことができる。
【００５４】
また、必要のない商品情報と関連付けられているプリセットキー６０８が無くなるため、商品名を表示するプリセットキー６０８の数が少なくなる。よって、ラベルを発行する商品を特定する情報を操作者が効率良く入力することができる。
【００５５】
また、ステップＳ１０８では、商品情報を設定するプリセットキーを指定する操作を受け付けた場合に、該当するプリセットキーに呼び出した商品データを設定している。これにより、操作者は、プリセットキーを指定する操作を行うことで、商品情報を設定するプリセットキーを指定することができる。そのため、操作者は、商品情報を見やすい位置のプリセットキーに設定することができる。
【００５６】
また、操作者切り替えキー６０６により、操作者毎にプリセットキーを設けている。これにより、操作者に合わせたプリセットキーをタッチパネル上に設けることができる。
【００５７】
なお、液晶表示器９ｂはプリセットキー６０８を常時表示する例を用いて説明したが、キー操作部７やタッチパネル９ａが所定の操作を受け付けた場合にのみ液晶表示器９ｂはプリセットキー６０８を表示するようにしてもよい。
【００５８】
また、本実施形態のプリセットキー６０８の設定方法と、従来知られている設定モードでプリセットキー６０８を設定する方法とを両方備えていてもよい。また、液晶表示器９ｂは、設定モードで設定したプリセットキー６０８と、商品登録モードで設定したプリセットキー６０８とを区別して表示してもよい。
【００５９】
また、ステップＳ１０８でのプリセットキー６０８の特定操作が行われた後ステップＳ１１０に進んでもよい。すなわち、プリセットキー６０８の特性操作が設定キー６０７の操作を兼ねるようにしてもよい。
【００６０】
また、ステップＳ１０８では、操作者がプリセットキー６０８を指定する手順としたが、未だ商品情報を割り当てられていないプリセットキー６０８をＣＰＵ２０が探して指定する手順としてもよい。なお、商品情報を割り当てられていないプリセットキー６０８が無い場合は、最後に押下された時間が一番過去のプリセットキー６０８に割り当てられている商品情報を消去し、このプリセットキー６０８に新たな商品情報を割り当てるようにしてもよい。
【００６１】
また、ステップＳ１０８で既に商品情報が割り当てられているプリセットキー６０８が押下された場合、既に商品情報が割り当てられている旨を液晶表示器９ｂが表示するようにし、新たに商品情報を割り当てるか、処理を中止してステップＳ１０１に戻るかを指定することができるようにしてもよい。
【００６２】
また、ステップＳ１０７において、ＲＡＭ３０の一時領域に記憶している商品情報が既にプリセットキー６０８に設定されている商品の商品情報である場合は、ステップＳ１０８には進まず、ステップＳ１１１のみに進むようにしてもよい。これにより、同一の商品情報を割り当てられたプリセットキー６０８を複数設定することが無くなる。
【００６３】
また、キー操作部７またはタッチパネル９ａにクリアキーを設け、ステップＳ１０８でプリセットキー６０８が押下された後、ステップＳ１０９で設定キー６０７が押下されるまでの間にクリアキーが押下された場合、ステップＳ１０８で行われたプリセットキー６０８の指定を解除し、ステップＳ１０１に戻るようにしてもよい。これにより、他の商品情報を読み出すことができるようになる。なお、クリアキーの代わりにステップＳ１０８で押下されたプリセットキー６０８が再度押下された場合も、ステップＳ１０８で行われたプリセットキー６０８の指定を解除し、ステップＳ１０１に戻るようにしてもよい。
【００６４】
また、ステップＳ１０８とステップＳ１０９の順を逆にし、ステップＳ１０８でのプリセットキー６０８の特定操作の前に、ステップＳ１０９での設定キー６０７の操作を行うようにしてもよい。これにより、プリセットキー６０８が押下された時点で、設定キー６０７が押下されているか否かにより、商品データを読み出すためにプリセットキー６０８が押下されたか、それともＲＡＭ３０の一時領域が記憶している商品情報と関連づけるプリセットキー６０８が押下されたかがより明確となる。
【００６５】
すなわち、設定キー６０７が押下された後にプリセットキー６０８が押下された場合は、ＲＡＭ３０の一時領域が記憶している商品情報と関連づけるためにプリセットキー６０８が押下されたと明確に判断できる。また、設定キー６０７が押下されずプリセットキー６０８が押下された場合は、商品データを読み出すためにプリセットキー６０８が押下されたと明確に判断できる。また、操作者も、設定キー６０７を押下した後は、ＲＡＭ３０の一時領域が記憶している商品情報と関連づけるプリセットキー６０８を押下することが明確にわかるようになり、より操作を理解しやすくなる。
【００６６】
以上、図面を参照して本発明の実施形態について詳しく説明してきたが、具体的な構成は上述のものに限られることはなく、この発明の要旨を逸脱しない範囲内において様々な設計変更等をすることが可能である。
【符号の説明】
【００６７】
１・・・本体、２・・・はかり、２ａ・・・ロードセル、３・・・第１のラベル印字機構部、４・・・第２のラベル印字機構部、５・・・操作部、６・・・蛇腹、７・・・キー操作部、９・・・操作表示部、９ａ・・・タッチパネル、９ｂ・・・液晶表示器、１４・・・イメージスキャナ、２０・・・ＣＰＵ、２１・・・ロードセル制御部、２２・・・印字制御部、２３・・・スキャナ制御部、２４・・・操作制御部、２５・・・表示制御部、３０・・・ＲＡＭ、４０・・・ＲＯＭ、１００・・・制御部
【図１】
2010173246.tif 000003
【図２】
2010173246.tif 000004
【図３】
2010173246.tif 000005
【図４】
2010173246.tif 000006
【図５】
2010173246.tif 000007
【図６】
2010173246.tif 000008
【図７】
2010173246.tif 000009